(57)【要約】【課題】ユーザがデータボタンを押すだけでデータ放送が有無を報知する機能を備えたデータ放送受信機を提供する。【解決手段】データ放送受信機は、リモコンで押下されたキーをアプリケーションへ配送するキー配送部と、データ放送のデータ取得と提示を行うデータ放送エンジンと、データボタンの配送先を判断し配送するデータボタン配送制御部と、視聴中サービスのＰＭＴを蓄積するＰＭＴ蓄積部と、データボタン押下時にデータ放送の有無を判断するデータボタン起動判断部と、データ放送がないサービスでデータボタンを押した場合にデータがないことを報知するデータ放送有無描画部を備える。【選択図】図１
2006254177.tif 000002
【特許請求の範囲】
【請求項１】
リモコンで押下されたキーをアプリケーションへ配送するキー配送部と、データ放送のデータ取得と提示を行うデータ放送エンジンと、データボタンの配送先を判断し配送するデータボタン配送制御部と、視聴中サービスのＰＭＴを蓄積するＰＭＴ蓄積部と、データボタン押下時にデータ放送の有無を判断するデータボタン起動判断部と、データ放送がないサービスでデータボタンを押した場合にデータがないことを報知するデータ放送有無描画部を備えたデータ放送受信機。
【発明の詳細な説明】
【技術分野】
【０００１】
本発明は、データ放送受信機においてデータ放送の有無をユーザに報知する際の報知方法に関するものである。
【背景技術】
【０００２】
従来のデータ放送受信機では、図４に示すようにデータ放送がないチャンネルでデータボタンを押した場合、何も反応しない。また、選局直後にデータボタンを押しても何も反応しない場合がある（例えば、特許文献１参照）。
【０００３】
図６に示すように、チャンネル選局後、最初に全画面動画だけのコンテンツ１が表示され、直後に動画だけのコンテンツ２へ遷移し、データボタン押下でコンテンツ３へ遷移することがある。この場合コンテンツ２遷移中にデータボタンが押された場合、データを取得中なので何も反応せず、コンテンツ２表示後データボタンを押されるとコンテンツ３が提示される。
【特許文献１】特開２００３−００９０１７号公報
【発明の開示】
【発明が解決しようとする課題】
【０００４】
しかしながら、上記従来のデータ放送受信機では、図４、図６のどちらの例でもデータボタンを押して何も反応しないが、ユーザはデータボタンが反応しない理由が、コンテンツ遷移中によるものか、データ放送がないからか判断することができない。
【０００５】
本発明は、ユーザがデータボタンを押すだけでデータ放送が有無を報知する機能を備えたデータ放送受信機を提供することを目的とする。
【課題を解決するための手段】
【０００６】
本発明のデータ放送受信機は、リモコンで押下されたキーをアプリケーションへ配送するキー配送部と、データ放送のデータ取得と提示を行うデータ放送エンジンと、データボタンの配送先を判断し配送するデータボタン配送制御部と、視聴中サービスのＰＭＴを蓄積するＰＭＴ蓄積部と、データボタン押下時にデータ放送の有無を判断するデータボタン起動判断部と、データ放送がないサービスでデータボタンを押した場合にデータがないことを報知するデータ放送有無描画部を備えたデータ放送受信機である。
【発明の効果】
【０００７】
本発明により、データ放送を視聴したいユーザにデータ放送の有無を容易に報知することができる。
【発明を実施するための最良の形態】
【０００８】
（実施の形態１）
図１は、本発明の実施の形態１に係るデータ放送受信機の構成を示すブロック図あり、図２は従来のデータ放送受信機を構成するブロック図である。図１において、１０１はリモコン押下時のキーコードを各アプリケーションに配送するキー配送部、１０２はデータボタンの配送先を決定しキー配送を行うデータボタン配送制御部、１０３はデータ放送のデータを取得し表示するデータ放送エンジン、１０４は、１０２のデータボタン配送制御部からのデータボタンが配送されたときデータ放送有無、ａｕｔｏ＿ｓｔａｒｔ＿ｆｌａｇの値を判断するデータ放送有無判断部、１０５は選局されたサービスのＰＭＴを蓄積するＰＭＴ蓄積部、１０６はデータ放送がないことをユーザに報知するデータ放送有無メッセージ描画部である。
【０００９】
１０３のデータ放送エンジンは、選局後ａｕｔｏ＿ｓｔａｒｔ＿ｆｌａｇ＝１のデータ放送があるとデータ取得を開始し、データ放送コンテンツを表示する。１０１のキー配送部は、リモコンからデータボタン押下の通知を受けると、１０２のデータボタン配送制御部へデータボタンを配送する。１０２のデータボタン配送部は、１０３のデータ放送エンジンがコンテンツ提示中（もしくは取得中）の場合、１０３のデータ放送エンジンにデータボタンを配送し、そうでない場合、１０４のデータ放送有無判断部へデータボタンを配送する。１０４のデータ放送有無判断部は、データボタンが配送されると、１０５のＰＭＴ蓄積部よりＰＭＴを取得し、データ放送が存在するか判断する。データ放送が存在しかつデータＥＳ０Ｘ４０のａｕｔｏ＿ｓｔａｒｔが０の場合、１０３のデータ放送エンジンにコンテンツ取得要求を行う。データ放送が存在しない場合、１０６のデータ放送有無メッセージ描画部にデータ放送がないことを報知する指示を行う。１０６のデータ放送メッセージ描画部は、ディスプレイに「データ放送がありません」等のメッセージ表示を行う。
【００１０】
なお、データ放送がないことを報知する手段として受信機のＬＥＤを用いたり、音声を用いてもよい。
【００１１】
次に、本発明のデータ放送受信機の処理について、リモコンのデータボタンが押下された場合のフローを、図３を用いて説明する。図３において、Ｓ１０１ではデータ放送エンジンがコンテンツ提示中もしくは取得中の場合Ｓ１０６へ、そうでない場合はＳ１０２へ移る。Ｓ１０６ではデータ放送エンジンにデータボタンを配送する。Ｓ１０２ではＰＭＴ蓄積部からＰＭＴを取得する。Ｓ１０３では、ＰＭＴを解析し、データ放送が存在する場合はＳ１０７へ、そうでないＳ１０４へ移る。Ｓ１０４ではディスプレイに「データ放送がありません」メッセージを表示させＳ１０５へ移る。Ｓ１０５では一定時間経過すると「データ放送ありません」を消去する。Ｓ１０７ではＰＭＴからデータＥＳ０ｘ４０のａｕｔｏ＿ｓｔａｒｔ＿ｆｌａｇの値を取得し、ａｕｔｏ＿ｓｔａｒｔ＿ｆｌａｇ＝０の場合、データ放送エンジンにコンテンツ取得指示を行う。
【００１２】
次にデータ放送がない場合の本発明の動作を、図６を用いて説明する。データボタンが押されてＰＭＴからデータ放送がないことを判断し、データ放送がないことをディスプレイの左下に一定時間提示する。データ放送がある場合の本発明の動作は、図７に示すようにデータ放送がないことを表示せず、従来の受信機と同様の動作となる。
【産業上の利用可能性】
【００１３】
本発明のデータ放送受信機は、データ放送を視聴したいユーザにデータ放送の有無を報知するので、テレビやセットトップボックス等に有用である。
【図面の簡単な説明】
【００１４】
【図１】本発明の実施の形態１におけるデータ放送受信機の構成を示すブロック図
【図２】従来のデータ放送受信機の構成を示すブロック図
【図３】本発明の実施の形態１におけるデータ放送エンジンのデータボタン押下時の処理を示すフローチャート
【図４】従来のデータ放送有無メッセージ提示例を示す図
【図５】本発明の実施の形態１におけるデータ放送有無メッセージ提示例を示す図
【図６】従来のデータ放送有無メッセージ提示例を示す図
【符号の説明】
【００１５】
１０１    キー配送部
１０２    データボタン配送制御部
１０３    データ放送エンジン
１０４    データ放送有無判断部
１０５    ＰＭＴ蓄積部
１０６    データ放送有無メッセージ描画部
【図１】
2006254177.tif 000003
【図２】
2006254177.tif 000004
【図３】
2006254177.tif 000005
【図４】
2006254177.tif 000006
【図５】
2006254177.tif 000007
【図６】
2006254177.tif 000008